(57)【要約】【課題】  使用者毎の機能設定を煩雑な操作を行うことなく自動的に行うことができる機能設定装置、該機能設定装置を備えたリモコン装置、及び該機能設定装置を備えたデジタルカメラを提供することを目的とする。【解決手段】  無線タグが発信する使用者個人を特定するためのＩＤを無線受信部２０で受信して、ＥＥＰＲＯＭ２６に記憶されたテーブルから当該ＩＤに対応する機能設定情報を信号処理部２８が読み出して、モード切換部２４を制御することによって、読み出した機能設定情報に基づく機能設定を行う。【選択図】        図２
2006060453.tif 000002
【特許請求の範囲】
【請求項１】
使用者個人を特定するための特定情報毎に対応して、複数の機能設定のうち設定する機能を表す機能設定情報を予め定めたテーブルを記憶する記憶手段と、
前記特定情報を発信する無線タグから前記特定情報を受信する受信手段と、
前記受信手段によって受信した前記特定情報に対応する機能設定情報を前記記憶手段に記憶された前記テーブルから読み出す読出手段と、
前記読出手段によって読み出された前記機能設定情報に基づいた機能設定を行う設定手段と、
を備えた機能設定装置。
【請求項２】
前記記憶手段は、予め定めた使用者毎の優先順位を更に記憶し、前記読出手段は、前記受信手段が複数の前記無線タグから複数の前記特定情報を受信した時に、前記記憶手段に記憶された前記優先順位に応じて前記機能設定情報を読み出すことを特徴とする請求項１に記載の機能設定装置。
【請求項３】
前記受信手段が複数の前記無線タグから複数の前記特定情報を受信した時に、前記読出手段によって読み出す機能設定情報に対応する前記特定情報を選択するための選択手段を更に備えることを特徴とする請求項１に記載の機能設定装置。
【請求項４】
操作対象装置を遠隔操作するリモコン装置であって、
請求項１乃至請求項３の何れか１項に記載の機能設定装置を備えることを特徴とするリモコン装置。
【請求項５】
前記読出手段によって読出された機能設定情報が操作対象装置の機能設定である場合に、前記受信手段によって受信した前記特定情報を操作対象装置に送信する送信手段を更に備え、操作対象装置側で前記特定情報に対応する機能設定を行うことを特徴とする請求項４に記載のリモコン装置。
【請求項６】
請求項１乃至請求項４の何れか１項に記載の機能設定装置を備えたデジタルカメラ。
【発明の詳細な説明】
【技術分野】
【０００１】
本発明は、機能設定装置、リモコン装置、及びデジタルカメラにかかり、特に、複数の機能設定が可能な装置に対して機能設定を行う機能設定装置、該機能設定装置を備えたリモコン装置、及び機能設定装置を備えたデジタルカメラに関する。
【背景技術】
【０００２】
一般的に、テレビ、ビデオ、空気調和装置などの家電装置では、様々な機能や動作モードを有しており、これらの機能設定を家電装置に設けられた操作部を操作することで機能設定を行うようになっている。また、リモコン装置を操作することでも様々な機能設定が可能とされている。
【０００３】
例えば、リモコン装置を操作することで機能設定や動作モード設定を行うものとして、特許文献１、２に記載の技術などが提案されている。
【０００４】
特許文献１に記載の技術では、メニュー画面に現時点の設定状態、切換状態を表示し、この画面上で項目マークと選択マークをリモコンによって操作することで機能設定を行うことが提案されており、これによって分かりやすい操作、誤操作の少ない操作性を実現することができる。
【０００５】
また、特許文献２に記載の技術では、空気調和器のリモコン装置に運転モード自動選択回路を設け、利用者が運転／停止釦を押すと、温度センサや湿度センサからの検出信号に基づいて、運転モードを自動的に切換え、切換えた運転モードを表示部に表示することが提案されている。これによって、リモコン装置で自動運転を開始することができ、かつ自動運転中の運転モードを利用者が常時認識することができる。
【０００６】
一方、上述のような動作モードや機能設定の切り換えを自動的に行うデジタルカメラが、特許文献３の技術に提案されている。
【０００７】
特許文献３に記載の技術では、ＩＣカードに所有者固有の機能設定情報を記憶しておき、当該ＩＣカードを無線通信機能を備えた電子機器である携帯電話に装着する。そして、デジタルカメラが携帯電話と無線通信を行い、ＩＣカードに記憶されている所有者固有の機能設定情報に基づいてデジタルカメラの撮影を制御する制御モードを切換えることが提案されている。
【特許文献１】特開平５−２９８７９０号公報
【特許文献２】特開平６−２５７８２０号公報
【特許文献３】特開２００３−３１６８９２号公報
【発明の開示】
【発明が解決しようとする課題】
【０００８】
しかしながら、特許文献１や特許文献２に記載のリモコン装置では、使用者毎に異なる設定で操作対象装置を使用する場合には、毎回設定を行わなければならない、という問題がある。
【０００９】
また、特許文献３に記載の技術では、使用者を特定する情報及び機能を設定するための情報が記憶されたＩＣカードの情報を電子機器を用いて送信しており、デジタルカメラの設定を行うために電子機器を操作してデジタルカメラに情報を送信しなければならず、情報を送信するための動作が煩雑となる、という問題がある。
【００１０】
本発明は、上記問題を解決すべく成されたもので、使用者毎の機能設定を煩雑な操作を行うことなく自動的に行うことができる機能設定装置、該機能設定装置を備えたリモコン装置、及び該機能設定装置を備えたデジタルカメラを提供することを目的とする。
【課題を解決するための手段】
【００１１】
上記目的を達成するために請求項１に記載の機能設定装置は、使用者個人を特定するための特定情報毎に対応して、複数の機能設定のうち設定する機能を表す機能設定情報を予め定めたテーブルを記憶する記憶手段と、前記特定情報を発信する無線タグから前記特定情報を受信する受信手段と、前記受信手段によって受信した前記特定情報に対応する機能設定情報を前記記憶手段に記憶された前記テーブルから読み出す読出手段と、前記読出手段によって読み出された前記機能設定情報に基づいた機能設定を行う設定手段と、を備えることを特徴としている。
【００１２】
請求項１に記載の発明によれば、記憶手段には、使用者個人を特定する特定情報毎に対応して複数の機能設定のうち設定する機能を表す機能設定情報が予め定められたテーブルが記憶されている。すなわち、特定情報に対応する機能設定情報をテーブルから得ることができる。
【００１３】
受信手段では、使用者個人を特定する特定情報を発信する無線タグから特定情報を受信する。例えば、無線タグとしては、メモリや送信アンテナ等を備えたＩＣカードやＩＤカード等の公知の無線タグが適用することができ、受信手段は、無線タグから発信される信号を受信することで特定情報を受信することができる。
【００１４】
読出手段では、受信手段が受信した特定情報に対応する機能設定情報が記憶手段に記憶されたテーブルから読出される。これによって、特定情報に対応する使用者個人の機能設定情報を得ることができる。
【００１５】
そして、設定手段では、読出手段によって読出された機能設定情報に基づいた機能設定が行われる。
【００１６】
従って、使用者個人が無線タグを持っていれば、無線タグから発信される特定情報を受信手段が受信し、当該特定情報に対応する機能設定情報をテーブルから読み出して、機能設定が自動的に行われるので、使用者毎の機能設定を煩雑な操作を行うことなく自動的に行うことができる。
【００１７】
記憶手段は、請求項２に記載の発明のように、予め定めた使用者毎の優先順位を更に記憶して、受信手段が複数の無線タグから複数の特定情報を受信した時に、読出手段が、記憶手段に記憶された使用者毎の優先順位に応じて機能設定情報を読み出すようにしてもよい。このように、記憶手段に優先順位を更に記憶しておくことで、複数の無線タグから複数の特定情報を受信しても、優先順位に応じた機能設定が可能となる。
【００１８】
或いは、受信手段が複数の無線タグから複数の特定情報を受信したときには、請求項３に記載の発明のように、読出手段によって読み出す機能設定情報に対応する特定情報を選択するための選択手段を更に備えるようにしてもよい。この場合には、選択手段による選択で所望の使用者の機能設定を自動的に行うことが可能となる。
【００１９】
請求項４に記載のリモコン装置は、操作対象装置を遠隔操作するリモコン装置であって、請求項１乃至請求項３の何れか１項に記載の機能設定装置を備えることを特徴としている。
【００２０】
請求項４に記載の発明によれば、請求項１乃至請求項３の何れか１項に記載の機能設定装置をリモコン装置に備えたものであり、これによってリモコン装置における各種機能設定を使用者毎に自動的に機能設定を行うことができる。例えば、リモコン装置に表示部を有する場合の表示部の文字サイズ等の機能設定を自動的に設定することができる。
【００２１】
なお、この時、請求項５に記載の発明のように、読出手段によって読出された機能設定情報が操作対象装置の機能設定である場合には、受信手段によって受信した特定情報を操作対象装置に送信する送信手段を更に備え、操作対象装置側で特定情報に対応する機能設定を行うようにしてもよい。この場合には、操作対象装置側に記憶手段に記憶されるテーブルと同様のテーブルを有することで、リモコン装置と同様に、自動的に使用者毎の機能設定を行うことが可能となる。
【００２２】
請求項６に記載のデジタルカメラは、請求項１乃至請求項４の何れか１項に記載の機能設定装置を備えることを特徴としている。
【００２３】
請求項６に記載の発明によれば、請求項１乃至請求項３の何れか１項に記載の機能設定装置をリモコン装置に備えたものであり、これによってデジタルカメラにおいても各種機能設定を使用者毎に自動的に機能設定を行うことができる。例えば、デジタルカメラの表示部に表示する文字サイズ、ＡＥや測光方式、画像処理設定（一例として、ホワイトバランス、シャープネス設定、色設定等）、ストロボ設定等を使用者毎に自動的に設定することが可能となる。
【発明の効果】
【００２４】
以上説明したように本発明によれば、無線タグが発信する使用者個人を特定する特定情報を受信し、特定情報毎に対応して予め設定した機能設定情報を読み出すためのテーブルから、受信した特定情報に対応する機能設定情報を読出して機能設定を行うので、使用者毎の機能設定を煩雑な操作を行うことなく自動的に行うことができる、という効果がある。
【発明を実施するための最良の形態】
【００２５】
以下、図面を参照して本発明の実施の形態の一例を詳細に説明する。
［第１実施形態］
本発明の第１実施形態に係わる機能設定装置について説明する。なお、第１実施形態は、本発明の機能設定装置をテレビのリモコン装置に適用したものである。
【００２６】
図１は、本発明の第１実施形態に係わるリモコン装置１０及び操作対象のテレビ１２を示す図である。
【００２７】
第１実施形態に係わるリモコン装置１０は、無線タグ１４から使用者個人を特定するための特定情報（以下、ＩＤという）を無線によって受信し、ＩＤに対応して予め設定された機能設定を読み出して、リモコン装置１０またはテレビ１２の機能設定を自動的に行うものである。
【００２８】
無線タグ１４は、メモリや送信アンテナ等を備えたＩＣカードやＩＤカード等の公知の無線タグが適用され、無線タグ１４には、使用者を特定するためのＩＤが記憶されており、リモコン装置１０に近づいた時に、リモコン装置１０が無線タグ１４に記憶されたＩＤを受信可能なようになっている。なお、ＩＤとしては、予め使用者毎に割り当てた番号やその他の文字を表す情報や記号を表す情報などを適用することができるが、本実施の形態では、予め使用者毎に割り当てた番号を適用する。
【００２９】
図２（Ａ）は、本発明の第１実施形態に係わるリモコン装置１０の構成を示すブロック図である。
【００３０】
リモコン装置１０は、図２（Ａ）に示すように、キー操作部１６、無線送信部１８、無線受信部２０、表示部２２、モード切換部２４、及びＥＥＰＲＯＭ２６が信号処理部２８に接続されている。
【００３１】
キー操作部１６は、本実施形態では、テレビのリモコン装置１０を例としているので、テレビのチャンネルを選択するチャンネル選択キーや音量調節キー等の操作キーを備えており、キー操作部１６を使用者が操作することによって、操作信号が信号処理部２８に入力され、信号処理部２８から無線送信部２０を介してテレビ１２に操作内容を表す情報が送信されることによって、テレビ１２の機能を操作することが可能とされている。
【００３２】
無線送信部１８は、キー操作部１６が操作された内容に対応する情報をテレビ１２に対して送信する他に、無線タグ１４から受信したＩＤを送信するようになっている。
【００３３】
表示部２２は、液晶パネル等で構成され、リモコン装置１０の操作内容、設定内容等の各種表示が可能とされている。
【００３４】
無線受信部２０は、無線タグ１４から発信されるＩＤを受信し、信号処理部２８へ出力するようになっている。
【００３５】
モード切換部２４は、リモコン装置１０に設けられた各種モードや機能設定を制御するようになっており、キー操作部１６の操作によって指示されたモードや機能の設定を信号処理部２８を介して行う。
【００３６】
ＥＥＰＲＯＭ２６には、無線タグ１４のＩＤに対応する機能設定情報のテーブル（図２（Ｂ）参照）３０が記憶されている。図２（Ｂ）に示すように、テーブル３０は、ＩＤ毎に予め設定された機能設定情報が記憶されており、ＩＤを指定することで機能設定情報を読み出すことが可能とされている。また、ＩＤ毎に優先順位が設定可能とされており、信号処理部２８によって優先順位に応じて機能設定情報が読み出される。
【００３７】
機能設定情報としては、例えば、表示部２２に表示する文字サイズやリモコン装置１０の操作対象の機能設定などがある。リモコン装置１０の操作対象装置（テレビ１２）の機能設定としては、例えば、デフォルトの音量設定値、コントラスト値、メニュー画面の文字サイズ等の各種機能設定がある。
【００３８】
信号処理部２８は、無線受信部２０がＩＤを受信したときに、ＥＥＰＲＯＭ２６に記憶されたテーブル３０を読み出して、該ＩＤに対応する機能設定情報を読み出して、読み出した機能設定情報に基づいてモード切換部２４を制御することで機能設定を行う。
【００３９】
図３（Ａ）は、リモコン装置１０の操作対象装置となるテレビ１２の構成の一部を示すブロック図である。
【００４０】
テレビ１２は、図３（Ａ）に示すように、画面表示部３２、無線受信部３４、モード切換部３６、及びＥＥＰＲＯＭ３８が信号処理部４０に接続されている。
【００４１】
画面表示部３２は、図示しないアンテナ等によって受信したテレビ放送を表示したり、テレビ１２の各種機能（例えば、上述したデフォルトの音量設定値、コントラスト値、メニュー画面の文字サイズ等）を表示する。
【００４２】
無線受信部３４は、リモコン装置１０から送信されるリモコン装置１０の操作内容を表す情報を受信し、信号処理部４０に出力するようになっており、信号処理部４０は、リモコン装置１０の操作内容に応じた処理を行う。また、無線受信部３４では、リモコン装置１０が受信した無線タグからのＩＤをリモコン装置１０から受信するようになっている。
【００４３】
モード切換部３６は、テレビ１２に設けられた各種モードや機能設定を制御するようになっており、リモコン装置１０等から操作された内容に応じてモードや機能の設定を信号処理部４０を介して行う。
【００４４】
ＥＥＰＲＯＭ３８には、無線タグ１４のＩＤに対応する機能設定情報のテーブル（図３（Ｂ）参照）４２が記憶されている。図３（Ｂ）に示すように、テーブル４２は、ＩＤ毎に予め設定された機能設定情報が記憶されており、ＩＤを指定することで機能設定情報を読み出すことが可能とされている。また、ＩＤ毎に優先優位が設定可能とされており、信号処理部４０によって優先順位に応じて機能設定情報が読み出される。
【００４５】
信号処理部４０は、リモコン装置１０が無線タグ１４から受信したＩＤがリモコン装置１０から送信されて無線受信部３４が受信したときに、ＥＥＰＲＯＭ３８に記憶されたテーブル４２を読み出して、当該ＩＤに対応する機能設定情報を読み出して、読み出した機能設定情報に基づいてモード切換部３６を制御することで機能設定を行う。
【００４６】
続いて、上述のように構成されたリモコン装置１０で行われる処理の一例について説明する。図４は、本発明の第１実施形態に係わるリモコン装置１０で行われる処理の流れの一例を示すフローチャートである。
【００４７】
ステップ１００では、無線タグを検出したか否か信号処理部２８によって判定される。該判定は、無線タグ１４から発信される信号を無線受信部２０を介して信号処理部２８が受信したか否かを判定することによってなされ、該判定が否定された場合には、無線タグ１４と無線受信部２０との通信可能距離内に無線タグ１４が存在しないので、そのまま当該処理を終了して、一般的なリモコン装置１０で行われる処理に移行する。
【００４８】
ステップ１００の判定が肯定された場合、すなわち、リモコン装置１０の近傍に無線タグ１４が存在する場合には、ステップ１０２へ移行して、無線タグ１４から発信されるＩＤを無線受信部２０を介して信号処理部２８が受信する。
【００４９】
続いて、ステップ１０４では、無線タグ１４を複数検出したか否か信号処理部２８によって判定される。すなわち、リモコン装置１０の近傍に無線タグ１４を持っている人が複数いるか否か判定され、該判定が否定された場合には、ステップ１０６へ移行する。
【００５０】
ステップ１０６では、無線タグ１４から受信したＩＤに対応する機能設定情報がＥＥＰＲＯＭ２６に記憶されたテーブル３０から信号処理部２８によって読み出され、ステップ１１８へ移行する。
【００５１】
一方、ステップ１０４の判定が肯定、すなわち、リモコン装置１０の近傍に複数の無線タグ１４が存在する場合には、ステップ１０８へ移行して、ＩＤ優先順位設定が有るか否か信号処理部２８によって判定される。該判定は、信号処理部２８がＥＥＰＲＯＭ２６に記憶されたテーブル３０を読み出して、テーブル３０内にＩＤ毎に優先順位が設定されているか否かを判定することによってなされ、該判定が肯定された場合には、ステップ１１０へ移行し、否定された場合には、ステップ１１２へ移行する。
【００５２】
ステップ１１０では、テーブル３０に記憶された優先順位に応じてＩＤに対応する機能設定情報がＥＥＰＲＯＭ２６に記憶されたテーブル３０から信号処理部２８によって読み出されてステップ１１８へ移行するる。すなわち、信号処理部２８は、複数の無線タグ１４から受信したＩＤのうち最も優先順位の高いＩＤに対応する機能設定情報をＥＥＰＲＯＭ２６から読み出す。
【００５３】
また、ステップ１１２では、信号処理部２８によってＩＤ選択画面が表示部２２に表示されてステップ１１４へ移行する。ＩＤ選択画面は、受信した複数のＩＤの中からリモコン装置１０を操作する人のＩＤを選択させるための画面であり、キー操作部１６の操作によって複数のＩＤの中から対応するＩＤを選択することが可能となる。
【００５４】
ステップ１１４では、ＩＤ選択がなされたか否か信号処理部２８によって判定される。該判定は、ＩＤ選択画面が表示されている状態からキー操作部１６を操作することで、リモコン装置１０を操作する人のＩＤの選択がなされたか否かを信号処理部２８が判定することによってなされ、該判定が肯定されるまで待機してステップ１１６へ移行する。
【００５５】
ステップ１１６では、使用者がキー操作部１６を操作することによって選択されたＩＤに対応する機能設定情報がＥＥＰＲＯＭ２６から信号処理部２８によって読み出されてステップ１１８へ移行する。
【００５６】
そして、ステップ１１８では、操作対象のテレビ１２側の機能設定が有るか否か判定される。該判定は、ステップ１０６、ステップ１１０、またはステップ１１６で読み出された機能設定情報の中にテレビ１２側の機能設定が有るか否かを信号処理部２８が判定することによってなされ、該判定が肯定された場合にはステップ１２０へ移行して、リモコン装置１０の操作権を有するＩＤが信号処理装置２８によって無線送信部１８を介してテレビ１２に送信されて一連の処理を終了する。
【００５７】
また、ステップ１１８の判定が否定された場合には、ステップ１２２へ移行して、読み出した機能設定情報に基づいて機能設定が行われる。すなわち、信号処理部２８がモード切換部２４を制御することで読み出した機能設定となるようにリモコン装置１０の機能が設定されて一連の処理を終了する。例えば、表示部２２で表示する文字サイズを所定サイズにすることを表す機能設定情報であった場合には、表示部２２に表示される文字サイズが自動的に変更されて表示される。
【００５８】
このように、本実施形態に係わるリモコン装置１０では、無線タグ１４から発信されるＩＤを受信して、予めＩＤに対応して記憶された機能設定情報をテーブル３０から読み出して、自動的にＩＤに対応した機能設定を行うので、使用者が変わる毎に設定を行う必要がなくなり、煩雑な作業を省略することができる。
【００５９】
また、使用者は無線タグ１４を持つだけで、自動的に所望の機能設定とすることができるので、利便的にすることができる。
【００６０】
さらに、ＩＤに対応した機能設定情報は、リモコン装置１０のキー操作部１６を操作して設定することが可能であるので、機能設定情報の変更も容易に行うことができる。
【００６１】
次に、テレビ１２側で行われる処理について説明する。図５は、テレビ１２側で行われる処理の一部を示すフローチャートである。
【００６２】
ステップ１５０では、リモコン装置１０から指示を受信したか否か信号処理部４０によって判定される。該判定は、無線受信部３４を介してリモコン装置１０の無線送信部１８から信号を受信したか否かを信号処理部４０が判定することによってなされ、該判定が否定された場合には当該処理を終了して、テレビ１２としての他の処理が行われる。
【００６３】
ステップ１５０の判定が肯定された場合には、リモコン装置１０から受信した信号がＩＤであるか否か信号処理部４０によって判定される。すなわち、上述のステップ１２０でリモコン装置１０からＩＤが送信された否かを判定し、該判定が否定された場合には、ステップ１５４へ移行して、リモコン装置１０からの指示に対応する処理（例えば、チャンネル切り換えや音量調整等の処理）を実施して当該処理を終了して、テレビ１２としての他の処理が行われる。
【００６４】
一方、ステップ１５２の判定が肯定、すなわち、リモコン装置１０からＩＤを受信した場合には、ステップ１５６へ移行する。
【００６５】
ステップ１５６では、リモコン装置１０から受信したＩＤに対応する機能設定情報がＥＥＰＲＯＭ３８に記憶されたテーブル４２から信号処理部４０によって読み出されて、ステップ１５８へ移行する。
【００６６】
ステップ１５８では、読み出した機能設定情報に基づいて機能設定が信号処理部４０によって行われて、当該処理を終了して、テレビ１２としての他の処理が行われる。すなわち、信号処理部４０がモード切換部３６を制御することで読み出した機能設定となるようにテレビ１２の機能が設定される。例えば、所定の音量値にすることを表す機能設定情報であった場合には、テレビ１２の音量値が自動的に所定の音量値に変更される。
【００６７】
このように、テレビ１２側では、リモコン装置１０が無線タグ１４から受信したＩＤをリモコン装置１０から受信した場合に、ＥＥＰＲＯＭ３８に記憶されたテーブル４２からＩＤに対応するテレビ１２の設定情報を読み出して自動的に設定を行うので、リモコン装置１０と同様に、使用者が変わる毎に設定を行う必要がなくなり、煩雑な作業を省略することができる。
［第２実施形態］
続いて、本発明の第２実施形態に係わる機能設定装置について説明する。なお、第２実施形態は、本発明の機能設定装置をデジタルカメラに適用したものである。
【００６８】
図６は、本発明の第２実施形態に係わるデジタルカメラ５０の構成を示すブロック図である。
【００６９】
本発明の第２実施形態に係わるデジタルカメラ５０は、被写体像を結像させるためのレンズを含んで構成された光学ユニット５２と、撮像素子として光学ユニット５２の光軸後方に配設されたＣＣＤ５４、ＣＣＤ５４から出力される画像信号い対して所定のアナログ信号処理を施すアナログ信号処理部５６と、アナログ信号処理部５６により処理されたアナログ信号をデジタル信号に変換するアナログ／デジタル変換器（以下、Ａ／Ｄという）５８、ＣＣＤ５４を駆動するためのＣＣＤ駆動部６０と、光学ユニット５２の撮影倍率、焦点位置、及び絞り値の各々を調整するためのモータ６２Ａ〜６２Ｃと、該モータ６２Ａ〜６２Ｃを駆動するためのモータ駆動部６４と、被写体輝度が低い場合に発光される発光部６６と、発光部６６による発光量を調節する調光用の受光部６８と、撮影画像や各種情報を表示するために設けたＬＣＤ等からなる表示部７０と、撮影者によって操作される操作部７２と、主として撮影によって得られたデジタル画像データを一時的に記憶するメインメモリ７４と、デジタルカメラ５０の全体的な動作を司る主制御部７６と、を備えて構成されている。
【００７０】
光学ユニット５２は、入射された被写体像を表す光をＣＣＤ５４の受光面に結像するものであり、撮影レンズ７８Ａ及びフォーカスレンズ７８Ｂを含むレンズ群７８と、絞り８０とを含んで構成されている。なお、レンズ群７８は、単一の焦点距離（固定焦点）のレンズでもよいし、ズームレンズや望遠／広角の二焦点切換式レンズのように焦点距離可変のものでもよい。
【００７１】
また、光学ユニット５２は、モータ６２Ａの駆動によって、撮影レンズ７８Ａを光軸方向に移動して撮影倍率を調整することが可能とされている。また、モータ６２Ｂの駆動によって、フォーカスレンズ７８Ｂを光軸方向に移動して合焦位置を移動させると共に、モータ６２Ｃの駆動によって、絞り８０の絞り値を調整することができるようになっている。モータ６２Ａ〜６２Ｃは、モータ駆動部６４に接続されており、モータ駆動部６４によって各モータが駆動される。
【００７２】
ＣＣＤ５４は、ＣＣＤ駆動部６０及びアナログ信号処理部５６と接続されている。ＣＣＤ５４は、受光面に入射された光を入射光量に応じた量の信号電荷に変換し、ＣＣＤ駆動部６０から供給される駆動パルスと同期して、蓄積された信号電荷に応じた電圧信号をアナログ画像信号としてアナログ信号処理部５６へと出力する。
【００７３】
アナログ信号処理部５６は、ＣＣＤ５４から出力されたアナログ画像信号を相関二重サンプリング（ＣＤＳ）処理すると共に、Ｒ（赤）、Ｇ（緑）、Ｂ（青）の各色信号に色分離処理し、各色信号の信号レベルの調整（例えば、プリホワイトバランス処理）を行う。このアナログ信号処理部５６は、Ａ／Ｄ５８と接続されており、Ａ／Ｄ５８は主制御部７６と接続されている。
【００７４】
アナログ信号処理部５６による処理後のアナログ画像信号は、Ａ／Ｄ５８により、ＲＧＢの各色のデジタル画像信号に変換された後に、主制御部７６に入力されるようになっている。
【００７５】
主制御部７６は、合焦状態を評価するための合焦評価値を算出する合焦評価算出部８２と、最適な露出及びホワイトバランスを算出するＡＥ・ＡＷＢ算出部８４と、入力されたデジタル信号に対して所定のデジタル信号処理を施してデジタル画像データを生成するデジタル信号処理部８８と、所定の圧縮方式でデジタル画像データを圧縮すると共に、圧縮されたデジタル画像データを伸張する圧縮伸張処理部８６と、メインメモリ７４にデータを読み書きするメモリ制御部９０と、図示しないスロットに着脱可能に装填される可搬性の記録メディアＭにデータを読み書きするメディア制御部９２と、表示部７０の表示動作を制御する表示制御部９４と、主制御部７６全体の制御を司るＣＰＵ９６と、がバス９８により相互に接続されている。
【００７６】
また、ＣＰＵ９６は、操作部７２と接続されており、撮影者による操作部７２の操作状態を常時把握できる。なお、操作部７２には、画像の撮影記録の指示を与えるレリーズボタン、撮影モードや再生モードといったカメラのモード選択を行うモード切換、ズーム操作やその他各種指示・情報を入力するための各種ボタンやスイッチ等が含まれる。これらのボタンやスイッチを用いて、タッチパネルや表示部７０の画面上において設定メニューや選択項目を表示してカーソルで所望の項目に選択することｋが可能である。また、操作部７２は、カメラ本体に配設されてもよいし、リモコン装置としてカメラ本体と分離した構成としてもよい。
【００７７】
ところで、本実施形態に係わるデジタルカメラ５０は、第１実施形態に係わるリモコン装置１０のように、デジタルカメラ５０の利用者毎に各種機能を自動的に設定可能なように構成されている。
【００７８】
すなわち、本実施形態に係わるデジタルカメラ５０は、第１実施形態で説明した無線タグ１４が発信するＩＤを受信するための無線受信部１７０を備えており、無線受信部１７０が受信したＩＤがＣＰＵ９６に入力されるようになっている。
【００７９】
また、機能設定部１７２がＣＰＵ９６に接続されており、デジタルカメラ５０に設けられた各種モードや機能設定を制御するようになっている。
【００８０】
さらに、メインメモリ７４には、無線タグ１４のＩＤ毎に対応する機能設定情報のテーブル（図７参照）が記憶されている。図７に示すように、テーブル１７４は、第１実施形態と同様に、ＩＤ毎に予め設定された機能設定情報が記憶されており、ＩＤを指定することで機能設定情報を読み出すことが可能とされている。また、ＩＤ毎に優先順位が設定可能とされており、ＣＰＵ９６がメモリ制御部９０を制御することによって、優先順位に応じた機能設定情報がＣＰＵ９６に読み出される。
【００８１】
機能設定情報としては、例えば、表示部７０に表示する文字サイズ、ＡＥや測光方式、画像処理設定（一例として、ホワイトバランス、シャープネス設定、色設定等）、ストロボ設定等がある。
【００８２】
そして、無線受信部１７０が無線タグ１４からＩＤを受信したときに、ＣＰＵ９６がメインメモリ７４に記憶されたテーブル１７４を読み出して、該ＩＤに対応する機能設定情報を読み出して、読み出した機能設定情報に基づいて機能設定部１７２を制御することで機能設定を行う。
【００８３】
続いて、上述のように構成されたデジタルカメラ５０で行われる処理の一例について説明する。図８は、本発明の第２実施形態に係わるデジタルカメラ５０で行われる処理の流れの一例を示すフローチャートである。
【００８４】
ステップ２００では、第１実施形態で説明した無線タグ１４を検出したか否かＣＰＵ９６によって判定される。該判定は、無線タグ１４から発信される信号を無線受信部１７０を介してＣＰＵ９６が受信したか否かを判定することによってなされ、該判定が否定された場合には、無線タグ１４と無線受信部１７０との通信可能距離内に無線タグ１４が存在しないので、そのまま当該処理を終了して、他のデジタルカメラ５０で行われる処理へ移行する。
【００８５】
ステップ２００の判定が肯定された場合、すなわち、デジタルカメラ５０の近傍に無線タグ１４が存在する場合には、ステップ２０２へ移行して、無線タグ１４から発信されるＩＤを無線受信部１７０を介してＣＰＵ９６が受信する。
【００８６】
続いて、ステップ２０４では、無線タグ１４を複数検出したか否かＣＰＵ９６によって判定される。すなわち、デジタルカメラ５０の近傍に無線タグ１４を持っている人が複数いるか否か判定され、該判定が否定された場合には、ステップ２０６へ移行する。
【００８７】
ステップ２０６では、ＣＰＵ９６がメモリ制御部９０を制御することによって、メインメモリ７４に記憶されたテーブル１７４から無線タグ１４から受信したＩＤに対応する機能設定情報が読み出され、ステップ２１８へ移行する。
【００８８】
一方、ステップ２０４の判定が肯定、すなわち、デジタルカメラ５０の近傍に複数の無線タグ１４が存在する場合には、ステップ２０８へ移行して、ＩＤ優先順位設定が有るか否かＣＰＵ９６によって判定される。該判定は、ＣＰＵ９６がメモリ制御部９０を制御することによってメインメモリ７４に記憶されたテーブル１７４を読み出して、テーブル１７４内にＩＤ毎に優先順位が設定されているか否かを判定することによってなされ、該判定が肯定された場合には、ステップ２１０へ移行し、否定された場合には、ステップ２１２へ移行する。
【００８９】
ステップ２１０では、テーブル１７４に記憶された優先順位に応じてＩＤに対応する機能設定情報が、メインメモリ７４に記憶されたテーブル１７４からＣＰＵ９６に読み出されてステップ２１８へ移行する。すなわち、ＣＰＵ９６は、複数の無線タグ１４から受信したＩＤのうち最も優先順位の高いＩＤに対応する機能設定情報をメインメモリ７４に記憶されたテーブル１７４から読み出す。
【００９０】
また、ステップ２１２では、ＣＰＵ９６が表示制御部９４を制御することによって表示部７０にＩＤ選択画面が表示されてステップ２１４へ移行する。ＩＤ選択画面は、受信した複数のＩＤの中からデジタルカメラ５０を操作する人のＩＤを選択させるための画面であり、操作部７２の操作によって複数のＩＤの中から対応するＩＤを選択することが可能となる。
【００９１】
ステップ２１４では、ＩＤ選択がなされたか否かＣＰＵ９６によって判定される。擬判定は、ＩＤ選択画面が表示されている状態から操作部７２を操作することで、デジタルカメラ５０を操作する人のＩＤが選択されたか否かをＣＰＵ９６が判定することによってなされ、該判定が肯定されるまで待機してステップ２１６へ移行する。
【００９２】
ステップ２１６では、ＣＰＵ９６がメモリ制御部９０を制御することによって、メインメモリ７４に記憶されたテーブル１７４から、使用者が操作部７２を操作することによって選択されたＩＤに対応する機能設定情報が読み出されてステップ２１８へ移行する。
【００９３】
そして、ステップ２１８では、読み出した機能設定情報に基づいて機能設定が行われる。すなわち、ＣＰＵ９６が機能設定部１７２を制御することで読み出した機能設定となるようにデジタルカメラ５０の機能が設定されて一連の処理を終了する。例えば、ＡＥや測光方式、ホワイトバランス、シャープネス設定、色設定等の画像処理などが自動的に変更される。
【００９４】
このように、本実施形態に係わるデジタルカメラ５０でも、無線タグ１４から発信されるＩＤを受信して、予めＩＤに対応して記憶された機能設定情報をテーブル１７４から読み出して、自動的にＩＤに対応した機能設定を行うので、使用者が変わる毎に設定を行う必要がなくなり、煩雑な作業を省略することができる。
【００９５】
また、使用者は無線タグ１４を持つだけで、自動的に所望の機能設定とすることができるので、利便的にすることができる。
【００９６】
さらに、ＩＤに対応した機能設定情報は、デジタルカメラ５０の操作部７２等を操作して設定することが可能であるので、機能設定情報の変更も容易に行うことができる。
【００９７】
なお、上記の第１実施形態では、テレビ１２のリモコン装置１０を例に挙げて説明したが、これに限るものではなく、空気調和装置やオーディオ等の他の家電装置のリモコン装置に本発明を適用するようにしてもよい。
【００９８】
また、上記の第２実施形態では、デジタルカメラ５０に本発明を適用した例を説明したが、これに限るものではなく、携帯電話やパーソナルコンピュータ等のその他の電子機器に本発明を適用するようにしてもよい。
【図面の簡単な説明】
【００９９】
【図１】本発明の第１実施形態に係わるリモコン装置及び操作対象のテレビを示す概略図である。
【図２】（Ａ）は本発明の第１実施形態に係わるリモコン装置の構成を示すブロック図であり、（Ｂ）はリモコン装置のＥＥＰＲＯＭに記憶されるテーブルの一例を示す図である。
【図３】（Ａ）はリモコン装置の操作対象装置となるテレビの構成の一部を示すブロック図であり、（Ｂ）はテレビのＥＥＰＲＯＭに記憶されるテーブルの一例を示す図である。
【図４】本発明の第１実施形態に係わるリモコン装置で行われる処理の流れの一例を示すフローチャートである。
【図５】テレビ側で行われる処理の流れの一例を示すフローチャートである。
【図６】本発明の第２実施形態に係わるデジタルカメラの構成を示すブロック図である。
【図７】デジタルカメラのメインメモリに記憶されるテーブルの一例を示す図である。
【図８】本発明の第２実施形態に係わるデジタルカメラで行われる処理の流れの一例を示すフローチャートである。
【符号の説明】
【０１００】
１０    リモコン装置
１２    テレビ
１４    無線タグ
１６    キー操作部
１８    無線送信部
２０、３４、１７０    無線受信部
２２、７０    表示部
２４、３６    モード切換部
２６、３８    ＥＥＰＲＯＭ
２８、４０    信号処理部
３０、４２、１７４    テーブル
５０    デジタルカメラ
７２    操作部
７４    メインメモリ
９０    メモリ制御部
９６    ＣＰＵ
９４    表示制御部
１７２    機能設定部
【図１】
2006060453.tif 000003
【図２】
2006060453.tif 000004
【図３】
2006060453.tif 000005
【図４】
2006060453.tif 000006
【図５】
2006060453.tif 000007
【図６】
2006060453.tif 000008
【図７】
2006060453.tif 000009
【図８】
2006060453.tif 000010